(57)【要約】【課題】１本で頭髪の整髪及び頭皮面マッサージという２つの用途に使えて、かつ、ブラシピンに絡まった髪の毛が取れやすく手入れの簡単な多機能ブラシを提供すること。【解決手段】多数の頭皮用ブラシピンと多数の孔を表壁部に有する中空の本体と、前記各孔から外部に突出するように当該インナープレートの表面に立設された多数の頭髪用ブラシピンとを有する可動ブラシ体と、前記可動ブラシ体を前記本体の中空内で所定位置に設定可能な操作部と、手で把持することが可能な柄と、を有することを特徴とするブラシを提供する。【選択図】図４
2015084786.tif 000002
【特許請求の範囲】
【請求項１】
多数の頭皮用ブラシピンを表壁部に有すると共に前記それぞれの頭皮用ブラシピンの横に孔が多数形成されている中空の本体と、
前記本体内部に設けたインナープレート及び当該インナープレートの表面に立設され且つ前記本体の各孔から外部に突出するように設けられる多数の頭髪用ブラシピンからなる可動ブラシ体と、
前記可動ブラシ体につながり前記本体の中空内で前記可動ブラシ体を上下に動かすように操作する操作部と、
手で把持することが可能な柄と、
を有することを特徴とするブラシ。
【請求項２】
前記頭髪用ブラシピンは、前記頭皮用ブラシピンよりも長いことを特徴とする請求項１に記載のブラシ。
【請求項３】
前記孔から前記頭髪用ブラシピンが突出しない頭皮マッサージモードと、前記孔から前記頭髪用ブラシピンの先端が前記頭皮用ブラシピンの先端より高い位置まで突出した整髪モードと、前記孔から前記頭髪用ブラシピンの先端が前記頭皮用ブラシピンの先端と同じ高さに突出したお掃除モードに設定可能なことを特徴とする請求項１または請求項２に記載のブラシ。
【発明の詳細な説明】
【技術分野】
【０００１】
この発明は、頭皮マッサージもできる目の粗いブラシと、髪をしっかりとかすことのできる目の細かいブラシ、さらに髪をとかしつつ同時に頭皮マッサージを行うブラシという３通りの使い方ができ、かつ、ブラシに挟まった髪の毛をワンタッチで取り除くことができる機能を備えた、掃除が簡単な多機能ブラシに関する。
【背景技術】
【０００２】
頭髪の整髪や、頭皮面のマッサージのため、各種のブラシが使われている。頭髪の整髪用としては、プラスチック製等の硬く細長いブラシピンのブラシが使用され、頭皮面のマッサージ用には、ゴムやシリコン製等の柔らかく太短いブラシピンのブラシを用いることが一般的である。頭髪の整髪と、頭皮面のマッサージとは、通常、別々のブラシを用いる必要があるため、ブラシを２つ用意しなければいけない。さらに、どちらのブラシも、ブラシピンに挟まった髪の毛は、ブラシピンの間に指を突っ込んで掃除しなければならず、２つのブラシのメンテナンスを、それぞれ行うことは、大変に手間がかかり面倒であった。
【先行技術文献】
【特許文献】
【０００３】
【特許文献１】特開平１１−１９２１２５
【特許文献２】特開２００３−２１０２５１公報
【発明の概要】
【発明が解決しようとする課題】
【０００４】
特許文献１に記載のヘヤーブラシは、髪の毛をとくものであるため、頭皮マッサージ用ブラシは別に用意しなければならない。また、ヘヤーブラシの手入れは、ヘヤーブラシ使用後に可動板を上に持ち上げることで抜け毛を取り除き易くしているが、抜け毛の束がそのままの状態でスライド板にへばりつくため抜け毛は絡まったままであり、スライド板にへばりついた髪の毛をはがす作業が必要であった。また、特許文献２のヘヤーブラシは、ブラシピンがブラシ台座内に収納でき、絡まった髪の毛が台座部分に残るので髪の毛を取り除くのが容易であるが、ブラシピンがブラシ台座の孔から内側に入る際に、絡まった髪の毛も一部一緒に孔の中に入ってしまうことがあり完全に髪の毛を取り除くことは難しいという問題があった。そしてこのブラシも髪の毛をとくものであるため頭皮マッサージ用ブラシは別に用意する必要がある。
【０００５】
整髪及び頭皮面のマッサージを両方行いたいときは、２つのブラシを持ち歩く必要があり、携帯する際にかさばるうえ、ブラシピンに絡まった髪の毛の掃除等のメンテナンスも、それぞれのブラシについて行う必要があり面倒である。さらに、頭皮マッサージと整髪を同時に行うことができるブラシというものは存在していなかった。
【０００６】
そこで、本発明の目的は、１本で、頭髪の整髪と、頭皮面マッサージ、さらに整髪と頭皮マッサージを同時に行うことができるという３通りに使えて、かつ、ブラシピンに絡まった髪の毛やフケ等のゴミが取りやすい、手入れの簡単な多機能ブラシを提供することにある。
【課題を解決するための手段】
【０００７】
この発明にかかるブラシは、多数の頭皮用ブラシピンを表壁部に有すると共に前記それぞれの頭皮用ブラシピンの横に孔が多数形成されている中空の本体と、前記本体内部に設けたインナープレート及び当該インナープレートの表面に立設され且つ前記本体の各孔から外部に突出するように設けられる多数の頭髪用ブラシピンからなる可動ブラシ体と、前記可動ブラシ体につながり前記本体の中空内で前記可動ブラシ体を上下に動かすように操作する操作部と、手で把持することが可能な柄と、を有することを特徴とする。
【０００８】
この発明によれば、本体内での可動ブラシ体の位置を変えることにより、髪をとく整髪用ヘヤーブラシと頭皮をマッサージするマッサージブラシ、さらに頭皮マッサージと整髪を同時に行うという３通りに使用できる。２つのブラシを持ちあるく必要がないので携帯しやすく便利である。整髪と頭皮マッサージを同時に行うことは、身だしなみを整える時間を大幅に短縮できる。また、頭皮マッサージと、髪をとく整髪とを、ブラシを持ち替えることなく、１つのブラシで行うことができるので、朝の忙しい時間帯に、効率良く迅速に身だしなみを整えることができる。さらに、操作部を操作して可動ブラシ体を動かして、頭髪用ブラシピンの突出する高さを頭髪ブラシピンの高さと同じ高さになるように設定すると、ブラシピンの間に挟まった抜け毛やフケなどのゴミが取り易くなるので、ブラシの掃除がしやすく、手入れが簡単である。
【０００９】
また、この発明にかかるブラシは、前記頭髪用ブラシピンは、前記頭皮用ブラシピンよりも長いことを特徴とする。
【００１０】
この発明によれば、前記頭髪用ブラシピンの本体内での位置を変えることにより、頭皮マッサージ用、頭髪の整髪用、さらに、頭皮マッサージと整髪を同時に行うという３つの用途に使用できるブラシを提供することができる。また、ブラシを使用した後は、可動ブラシ体を本体内で上部に動かせば、頭髪用ブラシピンが頭皮用ブラシピンと同じ高さになるため、頭髪用ブラシピンと頭皮用ブラシピンとの間隙にからまっていた髪の毛やフケ等のゴミが手で簡単に取り外せ、ブラシピンの掃除を手間なく迅速に行うことができる。さらに、可動ブラシ体を本体内で上下動させれば、頭髪用ブラシピンが出たり入ったりして、その動きと振動で、頭皮用ブラシピン及び頭髪用ブラシピンに絡まった髪の毛を外部に放出することもできる。よって、ヘアブラシを、簡単な手入れで、清潔な状態を保つことができる。
【００１１】
また、この発明にかかるブラシの頭皮用ブラシピンは、前記孔から前記頭髪用ブラシピンが突出しない頭皮マッサージモードと、前記孔から前記頭髪用ブラシピンの先端が前記頭皮用ブラシピンの先端より高い位置まで突出した整髪モードと、前記孔から前記頭髪用ブラシピンの先端が前記頭皮用ブラシピンの先端と同じ高さに突出したお掃除モードに設定可能なことを特徴とする。
【００１２】
この発明によれば、本体内での可動ブラシ体の位置を変えることにより、頭皮をマッサージするマッサージブラシとなる「頭皮マッサージモード」、髪をとく整髪用ヘヤーブラシとなる「整髪モード」としてブラシを使用できる。「整髪モード」では、ブラシを髪の毛にあてる強さを変えることにより、頭皮マッサージと整髪を同時に行うという使い方もできる。２つのブラシを持ちあるく必要がないので携帯しやすく便利である。整髪と頭皮マッサージを同時に行えること、頭皮マッサージと整髪とを、ブラシを持ち替えることなく、１つのブラシで行うことができるので、朝の忙しい時間帯に、効率良く迅速に身だしなみを整えることができる。さらに、操作部を操作して可動ブラシ体を動かして、頭髪用ブラシピンの突出する高さを頭髪ブラシピンの高さと同じ高さになる「お掃除モード」に設定すると、ブラシピンの間に挟まった抜け毛やフケなどのゴミが取り易くなるので、ブラシの掃除がしやすく、手入れが簡単である。
【図面の簡単な説明】
【００１３】
【図１】この発明の実施の形態１にかかるブラシ１００の「頭皮マッサージモード」状態での上面図である。
【図２】図１に示したブラシ１００の「頭皮マッサージモード」状態での右側面図である。
【図３】図１に示したブラシ１００の底面図であって、操作部４の操作手順を説明する図である。
【図４】図１に示したブラシ１００の「頭皮マッサージモード」状態でのＡ−Ａ断面図である。
【図５】図１に示したブラシ１００の「お掃除モード」状態でのＡ−Ａ断面図である。
【図６】図１に示したブラシ１００の「整髪モード」状態でのＡ−Ａ断面図である。
【図７】「頭皮マッサージモード」で使用後、「お掃除モード」でブラシの掃除を行う手順を説明する図であって、図７（ａ）は図４に示したブラシ１００のＢ部拡大図、図７（ｂ）は図５に示したブラシ１００のＣ部拡大図
【図８】「整髪モード」で使用後、「お掃除モード」でブラシの掃除を行う手順を説明する図であって、図８（ａ）は図６に示したブラシ１００のＤ部拡大図、図８（ｂ）が図５に示したブラシ１００のＣ部拡大図である。
【図９】この発明の実施の形態２にかかるブラシ２００の「頭皮マッサージモード」状態での上面図である。
【図１０】図９に示したブラシ２００の「頭皮マッサージモード」状態での右側面図である。
【図１１】図９に示したブラシ２００の底面図であって、操作部４の操作手順を説明する図である。
【図１２】図９に示したブラシ２００の「頭皮マッサージモード」状態でのＡ−Ａ断面図である。
【図１３】図９に示したブラシ２００の「お掃除モード」状態でのＡ−Ａ断面図である。
【図１４】図９に示したブラシ２００の「整髪モード」状態でのＡ−Ａ断面図である。
【発明を実施するための形態】
【００１４】
（実施の形態１）
以下、図１〜図８を参照し、実施の形態１にかかるブラシ１００の構成を説明する。このブラシ１００は、頭皮マッサージと、頭髪の整髪を行うためのブラシである。
【００１５】
図１に示すように、このブラシ１００は、上面視、略直方体の本体１と本体１の片側先端に設けられた細長い棒状の把手部３とを主に有している。本体１には、多数の頭皮ブラシピン１１が立設されており、頭皮ブラシピン１１と頭皮ブラシピン１１との間隙に多数の孔１２が設けられている。頭皮ブラシピン１１はマッサージを快適に行えるよう弾力性のある素材で作られている。頭皮ブラシピン１１の素材としてはゴム、シリコンが最適であるが、プラスチックや樹脂製としても良い。
【００１６】
図２に示すように、このブラシ１００の本体１は、右側面視、略直方体の本体１の上側表壁に多数の頭皮ブラシピン１１が立設されている。頭皮ブラシピン１１は、先端がふくらんだキノコ形状となっている。本体１の底面中央には、操作棒４が突出している。操作棒４は、円柱形状の柱部４１の先端に柱部４１の直径より大きい直径の円盤形状である頭部４３が設けられており、柱部１には、周方向の溝である凹部４２が２箇所設けられている。操作棒４は、本体１の内部まで貫通し、本体内部にある可動ブラシ体２（不図示）と連結されている。操作棒４が本体１の底面と接する部分には、操作棒ストッパー５が操作棒４を挟むように設けられており、操作棒ストッパー５のストッパー５１は、凹部４２に嵌め込まれ、操作棒４を固定している。
【００１７】
図３（ａ）に示すように、このブラシ１００の本体１は、底面視、略直方の本体１の中央付近に、円柱形状の操作棒４が突出しており、操作棒４の柱部分には、半孤形状の操作棒ストッパー５が嵌めこまれている。操作棒４は、操作棒ストッパー５によって固定されている。操作棒ストッパー５は、半孤形状のストッパー５１と、ストッパー５１の中心下方に設けられたスライドボタン５２からなる。
【００１８】
本体１の中央には溝５３が設けられ、操作棒ストッパー５のスライドボタン５２の底面には溝５３に嵌る大きさの突起があり、スライドボタン５２を指でスライドさせると、溝５３に沿って操作棒ストッパー５がスライドするようになっている。図３（ａ）に示すように、スライドボタン５２に指をかけて矢印の方向にスライドボタン５２をスライドさせると、操作棒ストッパー５が下に動いて、図３（ｂ）に示すように、ストッパー５１が操作棒４から外れる。
【００１９】
操作棒４を固定していた操作棒ストッパー５が外れると、操作棒４を上下に動かすことが可能となるので、操作棒４を上下に動かして所定高さに設定する。そして操作棒４の高さが決まったら操作棒ストッパー５のスライドボタン５２を指で上にスライドさせ、再度、操作棒４の凹部４２にストッパー５１を嵌めこんで操作棒４が動かないよう固定する。
【００２０】
図４に示すように、操作棒４は円柱形状の柱部４１と柱部４１の直径より大きい直径の円盤形状である頭部４３からなり、柱部４１には周方向の溝である凹部４２が２箇所設けられている。操作棒ストッパー５のストッパー５１を、柱部４１の中ほどに設けられた凹部４２に嵌め込めば、操作棒４がずれないので、操作棒４を所定高さで、しっかりと固定することができる。
【００２１】
本体１は、内部が空洞の直方体であり、プラスチック成型またはシート状のプラスチックを箱型になるよう組み合わせて成型されている。本体１の素材は、プラスチックのほか、樹脂製やシリコン製としても良い。本体１の内部には、可動ブラシ体２が設けられている。可動ブラシ体２は、板状のインナープレート２２と、インナープレート２２の上表面に立設された頭髪ブラシピン２１からなる。頭髪ブラシピン２１は、頭皮ブラシピン１１よりも硬い素材で作られている。頭髪ブラシピン２１の素材は、プラスチックや樹脂などが望ましい。頭髪ブラシピン２１は、本体１に設けられた孔１２の真下にあり、可動ブラシ体２が上に上がると、孔１２から頭髪ブラシピン２１の先端が突出するようになっている。頭髪ブラシピン２１と孔１２の数は同じ数である。
【００２２】
本体１の底面中央に突出している操作棒４は本体１の内部で可動ブラシ体２のインナープレート２２とつながっており、操作棒４を上下すると、操作棒４につながった可動ブラシ体２も上下する。操作棒ストッパー５のストッパー５１を、操作棒４の凹部４２に嵌めこむと、操作棒４を所定長さ突出した状態で固定でき、本体１の中空内で可動ブラシ体２を所定位置に設定できる。
【００２３】
本実施の形態１では操作柱４の突出する高さを、下、中央、上の三段階に設定できるようになっている。操作棒４の２つの凹部のうちインナープレート２２に近いほうの凹部４２にストッパー５１を嵌めこむと「頭皮マッサージモード」（図４）、操作棒４の頭部４３に近い側の凹部４２にストッパー５１を嵌めこむと「お掃除モード」（図５）、凹部４２にストッパー５１を嵌めこまず、操作部４の頭部４３をストッパー５１で挟むように留めると「整髪モード」（図６）となる。ブラシ未使用時は、「頭皮マッサージモード」（図４）にしておく。「頭皮マッサージモード」では、頭髪ブラシピン２１は、本体１の中に収納された状態となるため、頭髪ブラシピン２１が破損したり汚れたりする心配がない。
【００２４】
頭皮マッサージを行いたいときは、図４に示すように操作棒４を突出させた状態でインナープレート２２に近い側の凹部４２にストッパー４１を嵌め込んでブラシ１００を「頭皮マッサージモード」にする。頭皮ブラシピン１１は、弾力性のある柔らかい素材でできているため、頭皮を傷つけることなく、程よい刺激で頭皮をマッサージすることができる。
【００２５】
操作棒４の頭部４３に近い凹部４２にストッパー５１を嵌めこむ「お掃除モード」（図５）は、頭皮ブラシピン１１や頭髪ブラシピン２１の間隙に挟まった頭髪や細かいゴミを浮き上がらせて取り易くし、ブラシ１００の掃除ができるモードである。「お掃除モード」では、頭髪ブラシピン２１が本体１の表壁に設けられた孔１２から少しだけ突出し、頭髪ブラシピン２１の先端が頭皮ブラシピン１１の先端と同じ高さになる。「お掃除モード」でブラシ１００の掃除を行う方法については後述する。
【００２６】
図６に示すように、  操作棒４をさらに押し込んで、頭部４３のみが本体１の外側に出た状態にし、ストッパー５１は頭部４３を挟むようにすると、髪の毛をとかす「整髪モード」となる。「整髪モード」では、操作棒４に伴って、操作棒４に連結された可動ブラシ体２が更に上に上がり、可動ブラシ体２に立設された頭髪ブラシピン２１が、本体１に設けられた孔１２からさらに上方へと突出し、頭髪ブラシピン２１の先端が、本体１に立設された頭皮ブラシピン１１の先端よりも高い位置まで突出する。
【００２７】
「整髪モード」で、ブラシ１００を軽く頭髪にあて髪の毛の流れに沿って動かすと、頭髪ブラシピン２１で髪の毛をとかすことができる。さらに、ブラシ１００を強く頭皮に押し付けるように動かすと、頭髪ブラシピン２１で髪の毛をとかしつつ、同時に、頭皮ブラシピン１１が頭皮触れるので、頭皮マッサージも同時に行うことができる。１本のブラシで整髪と頭皮マッサージを行うことができるので、ブラシを持ち替える必要がなく、迅速に身だしなみを整えることができる。
【００２８】
次に、図７を示しながら、ブラシ１００で頭皮マッサージを行った後、「お掃除モード」にして、ブラシ１００を掃除する方法について説明する。
【００２９】
図７（ａ）はブラシ１００を「頭皮マッサージモード」に設定し頭皮マッサージを行った後の状態を示す。「頭皮マッサージモード」に設定したブラシ１００で頭皮マッサージを行うと、頭髪の抜け毛やフケ等の細かいゴミＧが頭皮ブラシピン１１と頭皮ブラシピン１１との間隙に挟まった状態となる。
【００３０】
頭皮マッサージ終了後、スライドボタン５２をスライドさせてストッパー５１を操作棒４から離し、操作棒４の突出する高さを変えたあと、再度スライドボタン５２をスライドさせてストッパー５１を一番外側の凹部４２に嵌めこんで、図７（ｂ）に示す「お掃除モード」に設定する。すると、操作棒４に連結された可動ブラシ体２が操作棒４に伴って少し上に上がり、可動ブラシ体２に立設された頭髪ブラシピン２１が、本体１に設けられた孔１２から突出する。頭髪ブラシピン２１の先端は、本体１に立設された頭皮ブラシピン１１の先端と略同じ高さまで突出するため、頭皮ブラシピン１１と頭皮ブラシピン１１との間隙に挟まったゴミＧを押し上げ、頭皮ブラシピン１１の上にゴミＧを持ち上げる。そのため、ゴミＧは、手で簡単に取り除くことができる。このようにして、ブラシ１００の掃除を簡単に行うことができる。
【００３１】
次に、図８を示しながら、ブラシ１００で整髪を行ったあと、「お掃除モード」を使って、ブラシ１００を掃除する方法について説明する。
【００３２】
図８（ａ）は、ブラシ１００を「整髪モード」に設定し髪をとかした後の状態を示す。「整髪モード」に設定したブラシ１００で整髪を行うと、頭髪の抜け毛やフケ等の細かいゴミＧが頭髪ブラシピン２１と頭髪ブラシピン２１との間隙に挟まっている。
【００３３】
整髪後、スライドボタン５２を下にスライドさせて操作棒４からストッパー５１を離したあと、操作棒４を引き出し、スライドボタン５２を上にスライドさせて操作棒４のひとつ内側の凹部４２にストッパー５１を嵌めこみ、図７（ｂ）に示すように「お掃除モード」に設定する。すると、操作棒４に連結された可動ブラシ体２が操作棒４に伴って少し下に下がり、可動ブラシ体２に立設された頭髪ブラシピン２１の下半分が、本体１に設けられた孔１２に入り、頭髪ブラシピン２１の先端が、本体１に立設された頭皮ブラシピン１１の先端と略同じ高さとなる。頭髪ブラシピン２１の先端が頭皮ブラシピン１１の先端と同じ高さになりフラットになるので、頭髪ブラシピン２１と頭髪ブラシピン２１との間隙に挟まったゴミＧが、そのフラットな部分に残り、ゴミＧは、手で簡単に取り除くことができる。したがって、ブラシ１００の掃除が簡単に行える。
【００３４】
さらに、ブラシ１００を、ゴミ箱の上にかざすように保持した状態で、スライドボタン５２を下にスライドさせ。ストッパー５１を操作棒４から離した状態にして操作棒４を、上から下、下から上へと、すばやく、はじくように動かすと、頭髪ブラシピン２１が、すばやく出入りして、間隙に挟まった抜け毛やフケ等のゴミＧを勢い良く外部にはじき出す。外部にはじき出されたゴミＧは、ゴミ箱に落下するので、抜け毛やフケ等のゴミＧに直接手を触れることなく、ブラシ１００の掃除ができるので、大変便利である。
【００３５】
本実施の形態では、操作棒４の設定位置を上、中、下の三段階としたが、操作棒４の設定位置は、さらに細かい段階に設定できるようにして、頭髪ブラシピン２１の突出する長さを選べるようにしても良い。頭髪ブラシピン２１を短く突出させれば、髪の毛の量が少ない人が整髪と頭皮マッサージを同時に行うのに適しており、頭髪ブラシピン２１を長く突出させれば、髪の毛の分量が多い人でも、整髪と頭皮マッサージを同時に行うことができる。
【００３６】
頭皮マッサージを行わず整髪のみ行いたいときは、頭髪ブラシピン２１を長めに突出させ、ブラシ１００を軽めに髪の毛にあてる。頭皮マッサージと整髪を同時に行いたいときは、頭髪ブラシピン２１を短めに突出させ、強めに頭皮に押し付けるというふうに使い分けても良い。
【００３７】
本実施の形態では、本体１を中空の直方体形状として、可動ブラシ体２を中に収納できるようにしているが、本体１の一面を開閉可能として可動ブラシ体２を着脱可能としても良い。
【００３８】
（実施の形態２）
以下、図９〜図１４を参照し、実施の形態２にかかるブラシの構成を説明する。このブラシ２００は、頭皮マッサージと、頭髪の整髪を行うためのブラシである。
【００３９】
図９に示すように、このブラシ２００の本体１は上面視、略楕円の円盤形状であり、本体１の上面表面には、多数の頭皮ブラシピン１１が立設されている。頭皮ブラシピン１１と頭皮ブラシピン１１との間隙には多数の孔１２が設けられている。孔１２は、本実施の形態では楕円形の孔としてあるが、孔１２の形状は楕円径形に限定されることはなく、円形や四角形の孔でも良い。
【００４０】
図１０に示すように、このブラシ２００は、略楕円の円盤形状である本体１、本体１の底面中央に設けられた操作棒４、本体１の上方に設けられた手でつかみやすい形状の把手部３を、主に有している。右側面視、略楕円の円盤形状の本体１の上側に多数の頭皮ブラシピン１１が立設されている。本体１の底面中央近傍には、手でつかみすい形状の把手部３が設けられており、把手部３の先端には、操作棒４が突出している。操作棒４を固定する操作棒ストッパー５（不図示）は、把手部３と一体的に成型されている。操作棒ストッパー５については次の図１１で説明する。
【００４１】
次に、図１１示しながら、ブラシ２００の操作棒ストッパー５の構成と、操作棒ストッパー５を使って操作棒４を所定高さで固定する方法について説明する。
【００４２】
図１１（ａ）に示すように、操作棒ストッパー５は、本体１の底面中央の操作棒４近傍にあって、把手部３の一部として形成された鉤形状の鉤爪部５４と、鉤爪部５４の上に設けられた小突起５５からなる。鉤爪部５４の周囲は空洞となっていて根元部分のみ把手部３とつながっており、鉤爪部５４は左右に動かせるようになっている。鉤爪部５４の先端に設けられた小突起５５を爪で引っ掛けて動かすと、操作棒４の凹部４２に嵌っている鉤爪部５４を、操作棒４から離すことができる。鉤爪部５４を操作棒４から離して操作棒４を上下し、所定高さにしたあと、小突起５５から爪を離せば、鉤爪部５４が、操作棒４に嵌り、操作棒４を固定することができる。
【００４３】
本実施の形態２の操作棒ストッパー５は、把手部３と一体的に形成されていて、操作棒ストッパー５の根元のみが把手部３とつながっていて、先端は、鉤のような形状となっている。操作棒ストッパー５の鉤爪部５４の周囲には、空洞が設けられているので、鉤爪部５４は小突起５５に爪をひっかけて左右に少し動かすことができる。鉤爪部５４は、鉤のような形状なので操作棒４の凹部４２に嵌りやすい。把手部３は、プラスチック等、ある程度の硬さと、弾性のある素材で作られているため、小突起５５に爪を引っ掛けて鉤爪部４を動かそて操作棒４から離し、操作棒４を所定高さに変えたあとで、爪を小突起５５離すと、鉤部５４が操作棒４の凹部４２に嵌って、操作棒４を固定するようになっている。
【００４４】
図１２に示すように、本体１の中空内には、可動ブラシ体２が設けられている。可動ブラシ体２は、楕円形の円盤状のインナープレート２２と、インナープレート２２の上面に立設された頭髪ブラシピン２１からなる。頭髪ブラシピン２１は、本体１に設けられた孔１２の真下にあり、頭髪ブラシピン２１と孔１２の数は同じ数となっていて、可動ブラシ体２が上に上がると、孔１２から頭髪ブラシピン２１が突出する。
【００４５】
本体１の底面中央に突出している操作棒４は本体１の内部で可動ブラシ体２のインナープレート２２とつながっている。可動ブラシ体２は、本体１の中空内で、高さ方向に動かせるようになっている。操作棒４を上下すると、操作棒４につながった可動ブラシ体２も上下する。操作棒ストッパー５の鉤爪部５４を、操作棒４の凹部４２に挟みこむと、操作棒４を所定長さ突出した状態で固定でき、本体１の中空内で可動ブラシ体２を所定位置に設定できる。
【００４６】
本実施の形態２では操作棒４の高さを、下、中央、上の三段階に設定できるようになっている。鉤爪部５４を、操作棒４の凹部のうち可動ブラシ体２に近い側の凹部４２に挟みこむと「頭皮マッサージモード」（図１２）となる。「頭皮マッサージモード」では、頭髪ブラシピン２１は、本体１の内部にあり、ブラシ２００の上面には、頭皮ブラシピン１１のみ突出した状態となる。頭皮ブラシピン２１は、弾力性のある柔らかい素材で作られているので、頭皮を傷つけることなく、快適に頭皮マッサージ  ができる。「頭皮マッサージモード」では、頭皮マッサージを行うことができるほか、未使用時も、この状態にしておくと、頭髪ブラシピン２１は、本体１の中に収納された状態となるため、頭髪ブラシピン２１が破損したり、汚れたりする心配がない。また、ブラシ２００が、かさばらず携帯に便利である。
【００４７】
操作棒４の頭部４３に近い側の凹部４２に鉤爪部５４を挟むと「お掃除モード」（図１３）となる。「お掃除モード」では、頭髪ブラシピン２１が、本体１の孔１２から少し突出し、頭髪ブラシピン２１の先端が、頭皮ブラシピン１１の先端と同じ高さまで突出する。「お掃除モード」では、頭皮ブラシピン１１や頭髪ブラシピン２１の間隙に挟まった抜け毛やフケを頭皮ブラシピン１１と頭髪ブラシピン２１の上に押し上げて取り除きやすくする。「お掃除モード」でブラシ２００の掃除を行う方法については後述する。
【００４８】
操作棒４を押し込んで凹部４２に鉤爪部５４を嵌めこまず、操作部４の頭部４３を鉤爪部５４で挟むようにすると「整髪モード」（図１４）となる。「整髪モード」では、操作棒４に伴って、操作棒４に連結された可動ブラシ体２が更に上に上がり、可動ブラシ体２に立設された頭髪ブラシピン２１が、本体１に設けられた孔１２からさらに上方へと突出する。頭髪ブラシピン２１の先端は、本体１に立設された頭皮ブラシピン１１の先端よりも高い位置まで突出する。
【００４９】
「整髪モード」に設定したブラシ２００を軽く頭髪にあて髪の毛の流れに沿って動かすと、頭髪ブラシピン２１で髪の毛をとかすことができる。さらに、ブラシ２００を強く頭皮に押し付けるように動かすと、頭髪ブラシピン２１で髪の毛をとかしつつ、同時に、頭皮ブラシピン１１が頭皮に触れて、頭皮マッサージも同時に行うことができる。１本のブラシで整髪と頭皮マッサージを行うことができるので、ブラシを持ち替える必要がなく、迅速に身だしなみを整えることができる。
【００５０】
次に、ブラシ２００で頭皮マッサージを行った後、「お掃除モード」にして、ブラシ２００を掃除する方法について説明する。
【００５１】
「頭皮マッサージモード」に設定したブラシ２００で頭皮マッサージを行うと、頭髪の抜け毛やフケ等の細かいゴミＧが頭皮ブラシピン１１と頭皮ブラシピン１１との間隙に挟まった状態となる。頭皮マッサージ終了後、つまみ部５４を指でつまんで、操作棒４の突出する高さを変え、可動ブラシ体２に近いほうの凹部４２に鉤爪部５４を嵌めて「お掃除モード」に設定する。すると、操作棒４に連結された可動ブラシ体２が操作棒４に伴って少し上に上がり、可動ブラシ体２に立設された頭髪ブラシピン２１が、本体１に設けられた孔１２から突出する。頭髪ブラシピン２１の先端は、本体１に立設された頭皮ブラシピン１１の先端と略同じ高さまで突出する。頭髪ブラシピン２１が上に上がる際、頭皮ブラシピン１１と頭皮ブラシピン１１との間隙に挟まった髪の毛や細かいゴミを一緒に持ち上げて頭皮ブラシピン１１の上に髪の毛やゴミを持ち上げる。そのため、髪の毛やゴミは、手で簡単に取り除くことができ、ブラシ２００の掃除が簡単に行うことができる。
【００５２】
次に、ブラシ２００で整髪を行ったあと、「お掃除モード」を使って、ブラシ２００を掃除する方法について説明する。「整髪モード」に設定したブラシ１００で整髪を行うと、頭髪の抜け毛やフケ等の細かいゴミＧが頭髪ブラシピン２１と頭髪ブラシピン２１との間隙に挟まっている。
【００５３】
整髪後、操作棒４を引き出して、可動ブラシ体２に近いほうの凹部４２に挟み部５４を挟みこみ、「お掃除モード」に設定する。すると、操作棒４に連結された可動ブラシ体２が操作棒４に伴って少し下に下がり、可動ブラシ体２に立設された頭髪ブラシピン２１の下半分が、本体１に設けられた孔１２に入り、頭髪ブラシピン２１の先端が、本体１に立設された頭皮ブラシピン１１の先端と略同じ高さとなる。頭髪ブラシピン２１の先端が頭皮ブラシピン１１の先端と同じ高さになりフラットになるので、頭髪ブラシピン２１と頭髪ブラシピン２１との間隙に挟まった髪の毛や細かいゴミが、そのフラットな部分に残り、髪の毛やゴミは、手で簡単に取り除くことができる。したがって、ブラシ２００の掃除が簡単に行える。
【００５４】
さらに、ブラシ２００を、ゴミ箱の上にかざすように保持した状態で、つまみ部５５をつまんで挟み部５４を開いた状態で操作棒４を、上から下、下から上へと、すばやく、上下に動かすと、頭髪ブラシピン２１が、すばやく出入りして、間隙に挟まった抜け毛やフケ等のゴミを勢い良く外部にはじき出す。外部にはじき出されたゴミは、そのままゴミ箱に落下するので、抜け毛やフケを直接触ることなく、ブラシ２００の掃除ができるので、大変便利である。
【００５５】
本実施の形態では、操作棒４の突出する高さを上、中、下の三段階に設定できるようにしたが、操作棒４の突出高さは、さらに細かい段階に設定できるようにして、頭髪ブラシピン２１の突出する長さを選べるようにしても良い。頭髪ブラシピン２１を短く突出させれば、髪の毛の量が少ない人が整髪と頭皮マッサージを同時に行うのに適しており、頭髪ブラシピン２１を長く突出させれば、髪の毛の分量が多い人でも、整髪と頭皮マッサージを同時に行うことができる。
【００５６】
頭皮マッサージを行わず整髪のみ行いたいときは、頭髪ブラシピン２１を長めに突出させ、ブラシ１００を軽めに髪の毛にあてる。頭皮マッサージと整髪を同時に行いたいときは、頭髪ブラシピン２１を短めに突出させ、強めに頭皮に押し付けるというふうに使い分けても良い。
【００５７】
本実施の形態では、本体１を中空の直方体形状として、可動ブラシ体２を中に収納できるようにしているが、本体１の一面を開閉可能として可動ブラシ体２を着脱可能としても良い。
【符号の説明】
【００５８】
１００，２００  ブラシ
１  本体
１１  頭皮ブラシピン
１２  孔
２  可動ブラシ体
２１  頭髪ブラシピン
２２  インナープレート
３  把手部
４  操作棒
４１  柱部
４２  凹部
４３  頭部
５  操作棒ストッパー
５１  ストッパー
５２  スライドボタン
５３  溝
５４  鉤爪部
５５  小突起
Ｇ  ゴミ
Ｈ  手
【図１】
2015084786.tif 000003
【図２】
2015084786.tif 000004
【図３】
2015084786.tif 000005
【図４】
2015084786.tif 000006
【図５】
2015084786.tif 000007
【図６】
2015084786.tif 000008
【図７】
2015084786.tif 000009
【図８】
2015084786.tif 000010
【図９】
2015084786.tif 000011
【図１０】
2015084786.tif 000012
【図１１】
2015084786.tif 000013
【図１２】
2015084786.tif 000014
【図１３】
2015084786.tif 000015
【図１４】
2015084786.tif 000016